【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
ａ）ｉ）両性イオン性モノマーもしくはポリアルキレングリコールモノマー、
ｉｉ）シリコーン、もしくはフルオロカーボンモノマー、もしくはこれらの組合せ、または
ｉｉｉ）アルキルで置換されたメタクリレート、アクリレート、アクリルアミド、もしくはビニルモノマー、もしくはこれらの組合せ
のうちの２種またはそれよりも多くから形成された、オリゴマー性またはポリマー性添加剤、
ｂ）ポリマー主鎖を含むベースポリマー、および
ｃ）（ｉ）脱プロトン化グアニジン化合物であって、前記脱プロトン化グアニジン化合物の一部がイソシアネート連結によって前記ベースポリマーの前記ポリマー主鎖に共有結合している、脱プロトン化グアニジン化合物、（ｉｉ）プロトン化グアニジン化合物であって、前記プロトン化グアニジン化合物の一部が前記ベースポリマーの前記ポリマー主鎖に水素結合している、プロトン化グアニジン化合物、または（ｉｉｉ）これらの組合せを含む、抗菌性添加剤
を含み、
成分（ａ）および成分（ｃ）が、溶融処理によって前記ベースポリマーに組み込まれる、表面改質化ポリマー組成物。
【請求項２】
前記脱プロトン化グアニジン化合物が、脱プロトン化グアニジン化合物、脱プロトン化ビグアニジン化合物、またはこれらの混合物を含む、請求項１に記載の組成物。
【請求項３】
前記プロトン化グアニジン化合物が、プロトン化グアニジン化合物、プロトン化ビグアニジン化合物、またはこれらの混合物を含む、請求項１に記載の組成物。
【請求項４】
前記ベースポリマーが、（ａ）ジフェニルメタンジイソシアネート、（ｂ）ポリエーテルポリオール、および（ｃ）ブタンジオール連鎖延長剤成分から誘導された熱可塑性ポリウレタンを含む、請求項１に記載の組成物。
【請求項５】
請求項１に記載の表面改質されたポリマー組成物を作製する方法であって、
ｉ．（ａ）ｉ）両性イオン性モノマー、もしくはポリアルキレングリコールモノマー、ｉｉ）シリコーンもしくはフルオロカーボンモノマー、もしくはこれらの組合せ、またはｉｉｉ）アルキルで置換されたメタクリレート、アクリレート、アクリルアミド、もしくはビニルモノマー、もしくはこれらの組合せを含む、オリゴマー性またはポリマー性添加剤を形成するステップと、
ｉｉ．成分（ａ）、（ｂ）ベースポリマー、および（ｃ）抗菌性添加剤を互いに組み込むステップとを含み、
前記抗菌性添加剤（ｃ）が、（ｉ）脱プロトン化グアニジン化合物であって、前記脱プロトン化グアニジン化合物の一部がイソシアネート連結によって前記ベースポリマーの前記ポリマー主鎖に共有結合している、脱プロトン化グアニジン化合物、（ｉｉ）プロトン化グアニジン化合物であって、前記プロトン化グアニジン化合物の一部が前記ベースポリマーの前記ポリマー主鎖に水素結合している、プロトン化グアニジン化合物、または（ｉｉｉ）これらの組合せを含み、
その結果、非汚損および抗菌特性を有する表面改質されたポリマー組成物が得られる、
方法。
【請求項６】
前記成分（ａ）、（ｂ）、および（ｃ）の組み込みが、（ｂ）前記ベースポリマーへの成分（ａ）および（ｃ）の溶融処理を含む、請求項５に記載の方法。
【請求項７】
前記ポリマー組成物が、材料上にコーティングされる、請求項５に記載の方法。
【請求項８】
前記ポリマー組成物が、浸漬コーティング、ロールツーロールコーティング、スピンコーティング、または噴霧コーティングプロセスを利用して前記材料上にコーティングされる、請求項７に記載の方法。
【請求項９】
アニールするステップをさらに含み、アニールするステップが、約５０℃から約１５０℃の温度で、約２時間から最長約７２時間にわたり行われる、請求項５に記載の方法。
【請求項１０】
請求項１に記載の表面改質化ポリマー組成物を含む物品であって、前記表面改質化ポリマー組成物が、
ａ）ｉ）両性イオン性モノマーもしくはポリアルキレングリコールモノマー、
ｉｉ）シリコーン、もしくはフルオロカーボンモノマー、もしくはこれらの組合せ、
または
ｉｉｉ）アルキルで置換されたメタクリレート、アクリレート、アクリルアミド、もしくはビニルモノマー、もしくはこれらの組合せ
のうちの２種またはそれよりも多くから形成された、オリゴマー性またはポリマー性添加剤、
ｂ）ポリマー主鎖を含むベースポリマー、および
ｃ）（ｉ）脱プロトン化グアニジン化合物であって、前記脱プロトン化グアニジン化合物の一部がイソシアネート連結によって前記ベースポリマーの前記ポリマー主鎖に共有結合している、脱プロトン化グアニジン化合物、（ｉｉ）プロトン化グアニジン化合物であって、前記プロトン化グアニジン化合物の一部が前記ベースポリマーの前記ポリマー主鎖に水素結合している、プロトン化グアニジン化合物、または（ｉｉｉ）これらの組合せを含む、抗菌性添加剤
を含み、
成分（ａ）および成分（ｃ）が溶融処理によって前記ベースポリマーに組み込まれる、
物品。
【請求項１１】
請求項１〜４のいずれか一項に記載の表面改質化組成物のコーティングを含む、材料から形成された物品。
【請求項１２】
前記ポリマー組成物を、浸漬コーティング、ロールツーロールコーティング、スピンコーティング、または噴霧コーティングを利用して前記材料上にコーティングすることによって得られる、請求項１１に記載の物品。
【請求項１３】
前記物品が、医療用デバイス、パーソナルケア物品、医薬用品、ヘルスケア製品、または船舶用品を含む、請求項１１または１２に記載の物品。
【請求項１４】
前記物品が、血管造影用カテーテル、血管形成用カテーテル、泌尿器科用カテーテル、カテーテルコネクター、または医療用チューブのうちの１つまたは複数からなる群から選択される医療用デバイスである、請求項１３に記載の物品。
【手続補正２】
【補正対象書類名】明細書
【補正対象項目名】００２６
【補正方法】変更
【補正の内容】
【００２６】
開示される技術はさらに、記述される方法によって作製され、記述される物品を作製するのに使用される、組成物を提供する。
本発明の実施形態において、例えば以下の項目が提供される。
（項目１）
ａ）ｉ）両性イオン性モノマーもしくはポリアルキレングリコールモノマー、
ｉｉ）シリコーン、もしくはフルオロカーボンモノマー、もしくはこれらの組合せ、または
ｉｉｉ）アルキルで置換されたメタクリレート、アクリレート、アクリルアミド、もしくはビニルモノマー、もしくはこれらの組合せ
のうちの２種またはそれよりも多くから形成された、オリゴマー性またはポリマー性添加剤、
ｂ）ポリマー主鎖を含むベースポリマー、および
ｃ）（ｉ）脱プロトン化グアニジン化合物であって、前記脱プロトン化グアニジン化合物の一部がイソシアネート連結によって前記ベースポリマーの前記ポリマー主鎖に共有結合している、脱プロトン化グアニジン化合物、（ｉｉ）プロトン化グアニジン化合物であって、前記プロトン化グアニジン化合物の一部が前記ベースポリマーの前記ポリマー主鎖に水素結合している、プロトン化グアニジン化合物、または（ｉｉｉ）これらの組合せを含む、抗菌性添加剤
を含み、
成分（ａ）および成分（ｃ）が、溶融処理によって前記ベースポリマーに組み込まれる、表面改質化ポリマー組成物。
（項目２）
前記脱プロトン化グアニジン化合物が、脱プロトン化グアニジン化合物、脱プロトン化ビグアニジン化合物、またはこれらの混合物を含む、項目１に記載の組成物。
（項目３）
前記プロトン化グアニジン化合物が、プロトン化グアニジン化合物、プロトン化ビグアニジン化合物、またはこれらの混合物を含む、項目１に記載の組成物。
（項目４）
前記ベースポリマーが、（ａ）ジフェニルメタンジイソシアネート、（ｂ）ポリエーテルポリオール、および（ｃ）ブタンジオール連鎖延長剤成分から誘導された熱可塑性ポリウレタンを含む、項目１に記載の組成物。
（項目５）
前記組成物が、物品を形成する材料上にコーティングされる、項目１に記載の組成物。
（項目６）
前記組成物が、浸漬コーティング、ロールツーロールコーティング、スピンコーティング、または噴霧コーティングを利用してコーティングされる、項目５に記載の組成物。
（項目７）
前記物品が、医療用デバイス、パーソナルケア物品、医薬用品、ヘルスケア製品、または船舶用品を含む、項目１に記載の組成物。
（項目８）
前記物品が、血管造影用カテーテル、血管形成用カテーテル、泌尿器科用カテーテル、カテーテルコネクター、または医療用チューブのうちの１つまたは複数を含む医療用デバイスである、項目７に記載の組成物。
（項目９）
表面改質されたポリマー組成物を作製する方法であって、
Ｉ．（ａ）ｉ）両性イオン性モノマー、もしくはポリアルキレングリコールモノマー、ｉｉ）シリコーンもしくはフルオロカーボンモノマー、もしくはこれらの組合せ、またはｉｉｉ）アルキルで置換されたメタクリレート、アクリレート、アクリルアミド、もしくはビニルモノマー、もしくはこれらの組合せを含む、オリゴマー性またはポリマー性添加剤を形成するステップと、
ＩＩ．成分（ａ）、（ｂ）ベースポリマー、および（ｃ）抗菌性添加剤を互いに組み込むステップとを含み、
前記抗菌性添加剤が、（ｉ）脱プロトン化グアニジン化合物であって、前記脱プロトン化グアニジン化合物の一部がイソシアネート連結によって前記ベースポリマーの前記ポリマー主鎖に共有結合している、脱プロトン化グアニジン化合物、（ｉｉ）プロトン化グアニジン化合物であって、前記プロトン化グアニジン化合物の一部が前記ベースポリマーの前記ポリマー主鎖に水素結合している、プロトン化グアニジン化合物、または（ｉｉｉ）これらの組合せを含み、
その結果、非汚損および抗菌特性を有する表面改質されたポリマー組成物が得られる、
方法。
（項目１０）
前記成分（ａ）、（ｂ）、および（ｃ）の組み込みが、（ｂ）前記ベースポリマーへの成分（ａ）および（ｃ）の溶融処理を含む、項目９に記載の方法。
（項目１１）
前記ポリマー組成物が、材料上にコーティングされる、項目９に記載の方法。
（項目１２）
前記ポリマー組成物が、浸漬コーティング、ロールツーロールコーティング、スピンコーティング、または噴霧コーティングプロセスを利用して前記材料上にコーティングされる、項目１１に記載の方法。
（項目１３）
アニールするステップをさらに含む、項目９に記載の方法。
（項目１４）
アニールするステップが、約５０℃から約１５０℃の温度で、約２時間から最長約７２時間にわたり行われる、項目１３に記載の方法。
（項目１５）
表面改質化ポリマー組成物を含む物品であって、前記表面改質化ポリマー組成物が、
ａ）ｉ）両性イオン性モノマーもしくはポリアルキレングリコールモノマー、
ｉｉ）シリコーン、もしくはフルオロカーボンモノマー、もしくはこれらの組合せ、
または
ｉｉｉ）アルキルで置換されたメタクリレート、アクリレート、アクリルアミド、もしくはビニルモノマー、もしくはこれらの組合せ
のうちの２種またはそれよりも多くから形成された、オリゴマー性またはポリマー性添加剤、
ｂ）ポリマー主鎖を含むベースポリマー、および
ｃ）（ｉ）脱プロトン化グアニジン化合物であって、前記脱プロトン化グアニジン化合物の一部がイソシアネート連結によって前記ベースポリマーの前記ポリマー主鎖に共有結合している、脱プロトン化グアニジン化合物、（ｉｉ）プロトン化グアニジン化合物であって、前記プロトン化グアニジン化合物の一部が前記ベースポリマーの前記ポリマー主鎖に水素結合している、プロトン化グアニジン化合物、または（ｉｉｉ）これらの組合せを含む、抗菌性添加剤
を含み、
成分（ａ）および成分（ｃ）が溶融処理によって前記ベースポリマーに組み込まれる、
物品。